(57)【要約】  ＢＣＩをレポートするための方法、移動端末、およびシステムが提供され、その方法は、ダブル・コードブックに基づいて移動端末に使用されるＰＭＩ  Ｗ１集合およびＰＭＩ  Ｗ２を取得するステップと、ＰＭＩ  Ｗ１集合に基づいて別の移動端末に使用されるＢＣＩ  Ｗ１集合を計算するステップと、ＰＭＩ  Ｗ２に基づいてＢＣＩ  Ｗ１集合からＢＣＩ  Ｗ２を選択するステップと、ＢＣＩ  Ｗ１集合およびＢＣＩ  Ｗ２を基地局にレポートするステップとを含み、Ｗ１は、ＰＭＩおよびＢＣＩの長期または広帯域成分を示し、Ｗ２は、ＰＭＩおよびＢＣＩの短期または狭帯域成分を示す。本開示により、最適なＢＣＩ  Ｗ２がシフトされたＢＣＩ  Ｗ１集合に含まれる確率が高まり、ＢＣＩをフィードバックすることに関するオーバーヘッドが低減される。【選択図】図１２
2013543341.tif 000002
【特許請求の範囲】
【請求項１】
ワイヤレス通信システムにおいてＢＣＩ（ベスト・コンパニオンＰＭＩ（プリコーディング行列インデックス））をレポートする方法であって、
ダブル・コードブックに基づいて移動端末に使用されるＰＭＩ  Ｗ１集合およびＰＭＩ  Ｗ２を取得するステップと、
前記ＰＭＩ  Ｗ１集合に基づいて別の移動端末に使用されるＢＣＩ  Ｗ１集合を計算するステップと、
前記ＢＣＩ  Ｗ１集合を基地局にレポートするステップとを含み、
Ｗ１は、前記ＰＭＩおよびＢＣＩの長期または広帯域成分を示し、Ｗ２は、前記ＰＭＩおよびＢＣＩの短期または狭帯域成分を示す、
方法。
【請求項２】
前記ＰＭＩ  Ｗ２に基づいて前記ＢＣＩ  Ｗ１集合からＢＣＩ  Ｗ２を選択するステップと、
前記ＢＣＩ  Ｗ２を前記基地局にレポートするステップとをさらに含む、
請求項１に記載のＢＣＩをレポートする方法。
【請求項３】
前記ＢＣＩ  Ｗ１集合は、比較的長い間隔でレポートされる、
請求項１に記載のＢＣＩをレポートする方法。
【請求項４】
前記ＢＣＩ  Ｗ１集合は、比較的長い間隔でレポートされ、ＢＣＩ  Ｗ２は、比較的短い間隔でレポートされる、
請求項２に記載のＢＣＩをレポートする方法。
【請求項５】
前記ＢＣＩ  Ｗ１集合および前記ＢＣＩ  Ｗ２は共に、比較的短い間隔でレポートされる、
請求項２に記載のＢＣＩをレポートする方法。
【請求項６】
前記ＰＭＩ  Ｗ２に基づいて前記ＢＣＩ  Ｗ１集合をシフトするステップをさらに含む、
請求項２に記載のＢＣＩをレポートする方法。
【請求項７】
前記ダブル・コードブックは、ＤＦＴ成分と同相係数との結合であり、前記ＤＦＴ成分は、ベクトルの複数の列で表され、前記同相係数は、［１，−１，ｊ，−ｊ］によって表される、
請求項２に記載のＢＣＩをレポートする方法。
【請求項８】
前記ＰＭＩ  Ｗ２が前記ＰＭＩ  Ｗ１集合の左側列上に配置されている場合に前記ＢＣＩ  Ｗ１集合をその左側にシフトし、前記ＰＭＩ  Ｗ２が前記ＰＭＩ  Ｗ１集合の右側列上に配置されている場合に前記ＢＣＩ  Ｗ１集合をその右側にシフトする、
請求項７に記載のＢＣＩをレポートする方法。
【請求項９】
前記ＢＣＩ  Ｗ１集合を前記ベクトルの１つまたは２つの列の分だけシフトするステップをさらに含む、
請求項８に記載のＢＣＩをレポートする方法。
【請求項１０】
前記ＢＣＩ  Ｗ１集合の前記同相係数を限定するするステップをさらに含み、
前記ＰＭＩ  Ｗ２が［１，−１］の範囲内の同相係数を有する場合には前記ＢＣＩ  Ｗ１集合の前記同相係数を［１，−１］に限定し、前記ＰＭＩ  Ｗ２が［ｊ，−ｊ］の範囲内の同相係数を有する場合には前記ＢＣＩ  Ｗ１集合の前記同相係数を［ｊ，−ｊ］に限定する、
請求項８に記載のＢＣＩをレポートする方法。
【請求項１１】
前記ＢＣＩ  Ｗ２は、前記ＰＭＩ  Ｗ２に直交する、
請求項２に記載のＢＣＩをレポートする方法。
【請求項１２】
前記別の移動端末も、前記ワイヤレス通信システム内の前記移動端末とおそらくは同時にスケジュールされる、
請求項１に記載のＢＣＩをレポートする方法。
【請求項１３】
ワイヤレス通信システムにおいてＢＣＩ（ベスト・コンパニオンＰＭＩ（プリコーディング行列インデックス））を基地局にレポートするための移動端末であって、
ダブル・コードブックに基づいて前記移動端末に使用されるＰＭＩ  Ｗ１集合およびＰＭＩ  Ｗ２を取得する取得ユニットと、
前記ＰＭＩ  Ｗ１集合に基づいて別の移動端末に使用されるＢＣＩ  Ｗ１集合を計算する計算ユニットと、
前記ＢＣＩ  Ｗ１集合を基地局にレポートするレポートユニットとを備え、
Ｗ１は、前記ＰＭＩおよびＢＣＩの長期または広帯域成分を示し、Ｗ２は、前記ＰＭＩおよびＢＣＩの短期または狭帯域成分を示す、
移動端末。
【請求項１４】
前記ＰＭＩ  Ｗ２に基づいて前記ＢＣＩ  Ｗ１集合からＢＣＩ  Ｗ２を選択する選択ユニットをさらに備え、前記レポートユニットは、前記ＢＣＩ  Ｗ２を前記基地局にレポートする、
請求項１３に記載の移動端末。
【請求項１５】
前記ＢＣＩ  Ｗ１集合は、比較的長い間隔でレポートされる、
請求項１３に記載の移動端末。
【請求項１６】
前記ＢＣＩ  Ｗ１集合は、比較的長い間隔でレポートされ、ＢＣＩ  Ｗ２は、比較的短い間隔でレポートされる、
請求項１４に記載の移動端末。
【請求項１７】
前記ＢＣＩ  Ｗ１集合および前記ＢＣＩ  Ｗ２は共に、比較的短い間隔でレポートされる、
請求項１４に記載の移動端末。
【請求項１８】
前記ＰＭＩ  Ｗ２に基づいて前記ＢＣＩ  Ｗ１集合をシフトするシフト・ユニットをさらに備える、
請求項１４に記載の移動端末。
【請求項１９】
前記ダブル・コードブックは、ＤＦＴ成分と同相係数との結合であり、前記ＤＦＴ成分は、ベクトルの複数の列で表され、前記同相係数は、［１，−１，ｊ，−ｊ］によって表される、
請求項１４に記載の移動端末。
【請求項２０】
前記シフト・ユニットは、前記ＰＭＩ  Ｗ２が前記ＰＭＩ  Ｗ１集合の左側列上に配置されている場合に前記ＢＣＩ  Ｗ１集合をその左側にシフトし、前記ＰＭＩ  Ｗ２が前記ＰＭＩ  Ｗ１集合の右側列上に配置されている場合に前記ＢＣＩ  Ｗ１集合をその右側にシフトする、
請求項１９に記載の移動端末。
【請求項２１】
前記シフト・ユニットは、前記ＢＣＩ  Ｗ１集合を前記ベクトルの１つまたは２つの列の分だけシフトする、
請求項１９に記載の移動端末。
【請求項２２】
前記シフト・ユニットは、前記ＢＣＩ  Ｗ１集合の前記同相係数をさらに限定し、前記ＰＭＩ  Ｗ２が［１，−１］の範囲内の同相係数を有する場合には前記シフト・ユニットは前記ＢＣＩ  Ｗ１集合の前記同相係数を［１，−１］に限定し、前記ＰＭＩ  Ｗ２が［ｊ，−ｊ］の範囲内の同相係数を有する場合には前記シフト・ユニットは前記ＢＣＩ  Ｗ１集合の前記同相係数を［ｊ，−ｊ］に限定する、
請求項２０に記載の移動端末。
【請求項２３】
前記ＢＣＩ  Ｗ２は、前記ＰＭＩ  Ｗ２に直交する、
請求項１４に記載の移動端末。
【請求項２４】
前記別の移動端末も、前記ワイヤレス通信システム内の前記移動端末とおそらくは同時にスケジュールされる、
請求項１３に記載の移動端末。
【請求項２５】
ワイヤレス通信システムにおいてＢＣＩ（ベスト・コンパニオンＰＭＩ（プリコーディング行列インデックス））を移動端末から受信するための基地局であって、
ダブル・コードブックに基づいて生成される、ＰＭＩ  Ｗ１集合、ＰＭＩ  Ｗ２、およびＢＣＩ  Ｗ１集合を前記移動端末から受信する受信ユニットと、
前記ＢＣＩ  Ｗ１集合とともに別の移動端末に送信されるデータをプリコードするプリコーディング・ユニットとを備え、
Ｗ１は、前記ＰＭＩおよびＢＣＩの長期または広帯域成分を示し、Ｗ２は、前記ＰＭＩおよびＢＣＩの短期または狭帯域成分を示す、
基地局。
【請求項２６】
前記受信ユニットは、前記移動端末からＢＣＩ  Ｗ２をさらに受信し、前記ＢＣＩ  Ｗ１集合は、前記ＰＭＩ  Ｗ２に基づいて前記移動端末によってシフトされ、前記ＢＣＩ  Ｗ２は、前記ＰＭＩ  Ｗ２に基づいて前記シフトされたＢＣＩ  Ｗ１集合から前記移動端末によって選択される、
請求項２５に記載の基地局。
【請求項２７】
前記ＢＣＩ  Ｗ１集合は、比較的長い間隔で受信される、
請求項２５に記載の基地局。
【請求項２８】
前記ＢＣＩ  Ｗ１集合は、比較的長い間隔で受信され、ＢＣＩ  Ｗ２は、比較的短い間隔で受信される、
請求項２６に記載の基地局。
【請求項２９】
前記ＢＣＩ  Ｗ１集合および前記ＢＣＩ  Ｗ２は共に、比較的短い間隔で受信される、
請求項２６に記載の基地局。
【請求項３０】
前記ＰＭＩ  Ｗ２に基づいて前記ＢＣＩ  Ｗ１集合から前記ＢＣＩ  Ｗ２を選択する選択ユニットをさらに備える、
請求項２６に記載の基地局。
【請求項３１】
前記ＰＭＩ  Ｗ２に基づいて前記ＢＣＩ  Ｗ１集合をシフトするシフト・ユニットをさらに備える、
請求項２５に記載の基地局。
【請求項３２】
前記ダブル・コードブックは、ＤＦＴ成分と同相係数との結合であり、前記ＤＦＴ成分は、ベクトルの複数の列で表され、前記同相係数は、［１，−１，ｊ，−ｊ］によって表される、
請求項３１に記載の基地局。
【請求項３３】
前記シフト・ユニットは、前記ＰＭＩ  Ｗ２が前記ＰＭＩ  Ｗ１集合の左側列上に配置されている場合に前記ＢＣＩ  Ｗ１集合をその左側にシフトし、前記ＰＭＩ  Ｗ２が前記ＰＭＩ  Ｗ１集合の右側列上に配置されている場合に前記ＢＣＩ  Ｗ１集合をその右側にシフトする、
請求項３２に記載の基地局。
【請求項３４】
前記シフト・ユニットは、前記ＢＣＩ  Ｗ１集合を前記ベクトルの１つまたは２つの列の分だけシフトする、
請求項３３に記載の基地局。
【請求項３５】
前記シフト・ユニットは、前記ＢＣＩ  Ｗ１集合の前記同相係数をさらに限定し、前記ＰＭＩ  Ｗ２が［１，−１］の範囲内の同相係数を有する場合には前記シフト・ユニットは前記ＢＣＩ  Ｗ１集合の前記同相係数を［１，−１］に限定し、前記ＰＭＩ  Ｗ２が［ｊ，−ｊ］の範囲内の同相係数を有する場合には前記シフト・ユニットは前記ＢＣＩ  Ｗ１集合の前記同相係数を［ｊ，−ｊ］に限定する、
請求項３４に記載の基地局。
【請求項３６】
前記ＢＣＩ  Ｗ２は、前記ＰＭＩ  Ｗ２に直交する、
請求項３０に記載の基地局。
【請求項３７】
前記別の移動端末も、前記ワイヤレス通信システム内の前記移動端末とおそらくは同時にスケジュールされる、
請求項２５に記載の基地局。
【請求項３８】
ＢＣＩ（ベスト・コンパニオンＰＭＩ（プリコーディング行列インデックス））を移動端末から基地局にレポートするためのワイヤレス通信システムであって、
ダブル・コードブックに基づいてＰＭＩ  Ｗ１集合およびＰＭＩ  Ｗ２を取得する取得ユニットと、
前記ＰＭＩ  Ｗ１集合に基づいて別の移動端末に使用されるＢＣＩ  Ｗ１集合を計算する計算ユニットと、
前記ＰＭＩ  Ｗ２に基づいて前記ＢＣＩ  Ｗ１集合からＢＣＩ  Ｗ２を選択する選択ユニットと、
前記ＢＣＩ  Ｗ１集合および前記ＢＣＩ  Ｗ２を前記基地局にレポートするレポートユニットとを備え、
Ｗ１は、前記ＰＭＩおよびＢＣＩの長期または広帯域成分を示し、Ｗ２は、前記ＰＭＩおよびＢＣＩの短期または狭帯域成分を示す、
ワイヤレス通信システム。
【請求項３９】
前記移動端末は、前記ＰＭＩ  Ｗ２に基づいて前記ＢＣＩ  Ｗ１集合をシフトするシフト・ユニットをさらに備える、
請求項３８に記載のワイヤレス通信システム。
【発明の詳細な説明】
【技術分野】
【０００１】
本発明は、マルチユーザ通信システムにおけるマルチ入力マルチ出力（ＭＩＭＯ）／ビームフォーミング技術に関係する。
【背景技術】
【０００２】
マルチユーザ（ＭＵ）ＭＩＭＯは、現在のワイヤレス通信におけるピーク・データ転送速度およびスペクトル効率を高めるための重要な手段である。ＭＵ−ＭＩＭＯの円滑な動作を容易にするために、ＬＴＥ−Ａなどの、４Ｇワイヤレス規格において高度なフィードバック方式が考えられている。これらの高度なフィードバック方式の１つは、ＢＣＩ（ベスト・コンパニオンＰＭＩ（best companion PMI）（プリコーディング行列インデックス（pre-coding matrix index）））レポート機能である。
【０００３】
ＬＴＥ  Ｒｅｌ−８では、シングル・ユーザ（ＳＵ）−ＭＩＭＯに対して、ＰＭＩが採用されている。すなわち、ＵＥは、ＵＥそれ自体に使用される最も好ましいプリコーディング行列をレポートする。ＰＭＩレポート機能は有用である。さらに、ＢＣＩレポート機能を用いて、ＵＥは、おそらくは同時にスケジュールされるＵＥに使用される最も好ましいプリコーディング行列もレポートする。
【０００４】
図１は、ＵＥが基地局に、それ自体に使用される最も好ましいＰＭＩおよびおそらくは同時にスケジュールされるＵＥに使用される最も好ましいＢＣＩをフィードバックすることを示す概略図である。図１に示されているように、ワイヤレス通信システム１００は、移動端末（ＵＥ）１０１および基地局１０３を備えるものとしてよく、そこでは、移動端末１０１が基地局１０３に、それ自体に使用される最も好ましいＰＭＩおよびおそらくは同時にスケジュールされるＵＥ（別の移動端末）１０２に使用される最も好ましいＢＣＩをレポートする。ＰＭＩ／ＣＱＩレポート機能のペアと同様に、ＢＣＩレポート機能にはデルタＣＱＩが付随するものとしてよく、これはレポートされるＢＣＩをそのＰＭＩとして使用する同時にスケジュールされたＵＥによるＣＱＩの劣化を示す。
【０００５】
ＬＴＥ−Ａｄｖａｎｃｅｄの標準化に際して、８Ｔｘアンテナ（ｅＮＢ基地局）のＰＭＩ機能に対するダブル・コードブック（double codebook）構造が合意されている。ダブル・コードブックのランク１のプリコーディング・ベクトルは、数式（１）の形式である。ただし式中、ｉ∈｛０，１，２，．．．３１｝およびｋ∈｛１，−１，ｊ，−ｊ｝である。ベクトルｖｉは、４×１の列ベクトルであり、これは数式（２）で表すことができる。ただし式中、ｊは虚数単位を表す。
【数１】
2013543341.tif 000003
【数２】
2013543341.tif 000004
【０００６】
図２は、８ＴｘアンテナのＰＭＩレポート機能に使用されるランク１の合意されているダブル・コードブック構造を示す図である。ランク１のコードブックは、ＤＦＴ（離散フーリエ変換）ビーム（成分）と同相係数との結合を表すことがわかる。しかし、ＤＦＴビーム・インデックスおよび同相係数のレポート機能は、単純に上記２つの事柄をレポートするわけではない。その代わりに、ダブル・コードブックに対応する２レベルのレポートが使用される。すなわち、ＵＥは、最初に、Ｗ１＝０のときに可能なプリコーディング・ベクトルがＤＦＴ方向｛０，１，２，３｝にあることを基地局に指示する、ＰＭＩのおおよその知識（長期／広帯域成分、Ｗ１）をフィードバックし、同相係数は｛１，−１，ｊ，−ｊ｝であるものとしてよい。Ｗ１は、４ビット信号であるが、それは｛Ｗ１＝０｝と｛Ｗ１＝１｝との間で可能なプリコーディング・ベクトルのオーバーラップがあるからである。Ｗ１がレポートされた後、ＵＥは、正確なプリコーディング・ベクトルがＷ１によって限定された集合内にあることを基地局に指示する、ＰＭＩの別のより正確な知識（短期／狭帯域成分、Ｗ２）をさらにレポートする。図２では、Ｗ１＝０の場合の可能なＤＦＴビーム・インデックスはｖ０からｖ３までであり、Ｗ１＝１の場合の可能なＤＦＴビーム・インデックスはｖ２からｖ５までであり、Ｗ１＝２のときの可能なプリコーディング・ベクトルはｖ４からｖ７までであり、以下同様に、Ｗ１＝１４の場合の可能なＤＦＴビーム・インデックスはｖ２８からｖ３１までであり、Ｗ１＝１５の場合の可能なＤＦＴビーム・インデックスはｖ３０、ｖ３１、ｖ０、およびｖ１である。
【０００７】
ダブル・コードブックの利点は、時間／周波数領域内のプリコーディング・ベクトルの連続性をうまく活用できるという点にあり、したがって、レポート精度を著しく失うことなく７ビットのシングル・コードブックと比較していずれかのオーバーヘッドを改善できる。
【０００８】
合意されたダブル・コードブックの重要な特徴は、（インデックスに関して）隣接するＤＦＴビームはその方向性に関しても隣接することである。
【０００９】
図３は、ＤＦＴビームの方向性を示す図である。
【００１０】
図３に示されているように、ｗ１＝０のときに、隣接するＤＦＴビームｖ０、ｖ１、ｖ２、ｖ３は、その方向性に関しても隣接する。
【発明の概要】
【発明が解決しようとする課題】
【００１１】
ＢＣＩはＰＭＩの仮定に基づいて計算されるため、ダブル・コードブック・ベースのＰＭＩと併せてＢＣＩをレポートする方法が問題となる。
【課題を解決するための手段】
【００１２】
本開示の一態様として、ワイヤレス通信システムにおいてＢＣＩをレポートする方法が提供される。この方法は、ダブル・コードブックに基づいて移動端末に使用されるＰＭＩ  Ｗ１集合およびＰＭＩ  Ｗ２を取得するステップと、ＰＭＩ  Ｗ１集合に基づいて別の移動端末に使用されるＢＣＩ  Ｗ１集合を計算するステップと、ＢＣＩ  Ｗ１集合を基地局にレポートするステップとを含み、Ｗ１は、ＰＭＩおよびＢＣＩの長期または広帯域成分を示し、Ｗ２は、ＰＭＩおよびＢＣＩの短期または狭帯域成分を示す。
【００１３】
上記の態様において、ＢＣＩ  Ｗ１集合は、比較的長い間隔でレポートされる。
【００１４】
上記の態様において、このＢＣＩをレポートする方法は、ＰＭＩ  Ｗ２に基づいてＢＣＩ  Ｗ１集合からＢＣＩ  Ｗ２を選択するステップと、ＢＣＩ  Ｗ２を基地局にレポートするステップとをさらに含む。
【００１５】
上記の態様において、ＢＣＩ  Ｗ１集合は、比較的長い間隔でレポートされ、ＢＣＩ  Ｗ２は、比較的短い間隔でレポートされる。
【００１６】
上記の態様において、ＢＣＩ  Ｗ１集合およびＢＣＩ  Ｗ２は共に、比較的短い間隔でレポートされる。
【００１７】
上記の態様において、方法は、ＰＭＩ  Ｗ２に基づいてＢＣＩ  Ｗ１集合をシフトするステップをさらに含む。
【００１８】
上記の態様において、ＢＣＩ  Ｗ１集合は、長い時間間隔でレポートされ、ＢＣＩ  Ｗ２は、短い時間間隔でレポートされる。
【００１９】
上記の態様において、ダブル・コードブックは、ＤＦＴ成分と同相係数との結合であり、ＤＦＴ成分は、ベクトルの複数の列で表され、同相係数は、［１，−１，ｊ，−ｊ］によって表される。
【００２０】
上記の態様において、方法は、ＰＭＩ  Ｗ２がＰＭＩ  Ｗ１集合の左側列上に配置されている場合にＢＣＩ  Ｗ１集合をその左側にシフトするステップと、ＰＭＩ  Ｗ２がＰＭＩ  Ｗ１集合の右側列上に配置されている場合にＢＣＩ  Ｗ１集合をその右側にシフトするステップとをさらに含む。
【００２１】
上記の態様において、方法は、ベクトルの１つまたは２つの列の分だけＢＣＩ  Ｗ１集合をシフトするステップをさらに含む。
【００２２】
上記の態様において、方法は、ＢＣＩ  Ｗ１集合の同相係数を限定するステップをさらに含み、ＰＭＩ  Ｗ２が［１，−１］の範囲内の同相係数を有する場合にはＢＣＩ  Ｗ１集合の同相係数は［１，−１］に限定され、ＰＭＩ  Ｗ２が［ｊ，−ｊ］の範囲内の同相係数を有する場合にはＢＣＩ  Ｗ１集合の同相係数は［ｊ，−ｊ］に限定される。上記の態様において、ＢＣＩ  Ｗ２は、ＰＭＩ  Ｗ２に直交する。
【００２３】
本開示の別の態様では、ワイヤレス通信システムにおいてＢＣＩを基地局にレポートするための移動端末が実現され、この移動端末は、ダブル・コードブックに基づいてＰＭＩ  Ｗ１集合およびＰＭＩ  Ｗ２を取得する取得ユニットと、ＰＭＩ  Ｗ１集合に基づいて別の移動端末に使用されるＢＣＩ  Ｗ１集合を計算する計算ユニットと、ＢＣＩ  Ｗ１集合を基地局にレポートするレポートユニットとを備え、Ｗ１は、ＰＭＩおよびＢＣＩの長期または広帯域成分を示し、Ｗ２は、ＰＭＩおよびＢＣＩの短期または狭帯域成分を示す。
【００２４】
上記の別の態様において、ＢＣＩ  Ｗ１集合は、比較的長い間隔でレポートされる。
【００２５】
上記の別の態様において、移動端末は、ＰＭＩ  Ｗ２に基づいてＢＣＩ  Ｗ１集合からＢＣＩ  Ｗ２を選択する選択ユニットをさらに備える。レポートユニットは、ＢＣＩ  Ｗ２を基地局にレポートする。
【００２６】
上記の別の態様において、ＢＣＩ  Ｗ１集合は、比較的長い間隔でレポートされ、ＢＣＩ  Ｗ２は、比較的短い間隔でレポートされる。
【００２７】
上記の別の態様において、ＢＣＩ  Ｗ１集合およびＢＣＩ  Ｗ２は共に、比較的短い間隔でレポートされる。
【００２８】
上記の別の態様において、移動端末は、ＰＭＩ  Ｗ２に基づいてＢＣＩ  Ｗ１集合をシフトするシフト・ユニットをさらに備える。シフト・ユニットは、ＰＭＩ  Ｗ２がＰＭＩ  Ｗ１集合の左側列上に配置されている場合にＢＣＩ  Ｗ１集合をその左側にシフトし、ＰＭＩ  Ｗ２がＰＭＩ  Ｗ１集合の右側列上に配置されている場合にＢＣＩ  Ｗ１集合をその右側にシフトする。シフト・ユニットは、ＢＣＩ  Ｗ１集合をベクトルの１つまたは２つの列の分だけシフトする。シフト・ユニットは、ＢＣＩ  Ｗ１集合の同相係数をさらに限定し、ＰＭＩ  Ｗ２が［１，−１］の範囲内の同相係数を有する場合にはシフト・ユニットはＢＣＩ  Ｗ１集合の同相係数を［１，−１］に限定し、ＰＭＩ  Ｗ２が［ｊ，−ｊ］の範囲内の同相係数を有する場合にはシフト・ユニットはＢＣＩ  Ｗ１集合の同相係数を［ｊ，−ｊ］に限定する。ＢＣＩ  Ｗ１集合から選択されたＢＣＩ  Ｗ２は、ＰＭＩ  Ｗ２に直交する。
【００２９】
本開示のさらなる態様では、ワイヤレス通信システムにおいて移動端末からＢＣＩ（ベスト・コンパニオンＰＭＩ（プリコーディング行列インデックス））を受信するための基地局が実現され、この基地局は、ダブル・コードブックに基づいて生成される、ＰＭＩ  Ｗ１集合、ＰＭＩ  Ｗ２、およびＢＣＩ  Ｗ１集合を移動端末から受信する受信ユニットと、ＢＣＩ  Ｗ１集合とともに別の移動端末に送信されるデータをプリコードするプリコーディング・ユニットとを備え、Ｗ１は、ＰＭＩおよびＢＣＩの長期または広帯域成分を示し、Ｗ２は、ＰＭＩおよびＢＣＩの短期または狭帯域成分を示す。
【００３０】
上記のさらなる態様において、受信ユニットは、移動端末からＢＣＩ  Ｗ２をさらに受信し、ＢＣＩ  Ｗ１集合は、ＰＭＩ  Ｗ２に基づいて移動端末によってシフトされ、ＢＣＩ  Ｗ２は、ＰＭＩ  Ｗ２に基づいてシフトされたＢＣＩ  Ｗ１集合から移動端末によって選択される。
【００３１】
上記のさらなる態様において、ＢＣＩ  Ｗ１集合は、比較的長い間隔で受信され、ＢＣＩ  Ｗ２は、比較的短い間隔で受信される。
【００３２】
上記のさらなる態様において、基地局は、受信されたＰＭＩ  Ｗ２に基づいてＢＣＩ  Ｗ１集合をシフトするシフト・ユニットをさらに備える。シフト・ユニットは、ＰＭＩ  Ｗ２がＰＭＩ  Ｗ１集合の左側列上に配置されている場合にＢＣＩ  Ｗ１集合をその左側にシフトし、ＰＭＩ  Ｗ２がＰＭＩ  Ｗ１集合の右側列上に配置されている場合にＢＣＩ  Ｗ１集合をその右側にシフトする。シフト・ユニットは、ＢＣＩ  Ｗ１集合をベクトルの１つまたは２つの列の分だけシフトする。シフト・ユニットは、ＢＣＩ  Ｗ１集合の同相係数をさらに限定し、ＰＭＩ  Ｗ２が［１，−１］の範囲内の同相係数を有する場合にはシフト・ユニットはＢＣＩ  Ｗ１集合の同相係数を［１，−１］に限定し、ＰＭＩ  Ｗ２が［ｊ，−ｊ］の範囲内の同相係数を有する場合にはシフト・ユニットはＢＣＩ  Ｗ１集合の同相係数を［ｊ，−ｊ］に限定する。ＢＣＩ  Ｗ１集合から選択されたＢＣＩ  Ｗ２は、ＰＭＩ  Ｗ２に直交する。
【００３３】
本開示のさらなる態様では、移動端末から基地局にＢＣＩをレポートするためのワイヤレス通信システムが実現され、この移動端末は、ダブル・コードブックに基づいてＰＭＩ  Ｗ１集合およびＰＭＩ  Ｗ２を取得する取得ユニットと、ＰＭＩ  Ｗ１集合に基づいて別の移動端末に使用されるＢＣＩ  Ｗ１集合を計算する計算ユニットと、ＰＭＩ  Ｗ２に基づいてＢＣＩ  Ｗ１集合からＢＣＩ  Ｗ２を選択する選択ユニットと、ＢＣＩ  Ｗ１集合およびＢＣＩ  Ｗ２を基地局にレポートするレポートユニットとを備え、Ｗ１は、ＰＭＩおよびＢＣＩの長期または広帯域成分を示し、Ｗ２は、ＰＭＩおよびＢＣＩの短期または狭帯域成分を示す。前記基地局は、ダブル・コードブックに基づいて生成される、ＰＭＩ  Ｗ１集合、ＰＭＩ  Ｗ２、ＢＣＩ  Ｗ１集合、およびＢＣＩ  Ｗ２を移動端末から受信する受信ユニットと、ＢＣＩ  Ｗ１集合とともに別の移動端末に送信されるデータをプリコードするプリコーディング・ユニットとを備え、Ｗ１は、ＰＭＩおよびＢＣＩの長期または広帯域成分を示し、Ｗ２は、ＰＭＩおよびＢＣＩの短期または狭帯域成分を示す。
【００３４】
上記の他のさらなる態様において、ワイヤレス通信システム内の移動端末は、ＰＭＩ  Ｗ２に基づいてＢＣＩ  Ｗ１集合をシフトするシフト・ユニットをさらに備える。シフト・ユニットは、ＰＭＩ  Ｗ２がＰＭＩ  Ｗ１集合の左側列上に配置されている場合にＢＣＩ  Ｗ１集合をその左側にシフトし、ＰＭＩ  Ｗ２がＰＭＩ  Ｗ１集合の右側列上に配置されている場合にＢＣＩ  Ｗ１集合をその右側にシフトする。シフト・ユニットは、ＢＣＩ  Ｗ１集合をベクトルの１つまたは２つの列の分だけシフトする。シフト・ユニットは、ＢＣＩ  Ｗ１集合の同相係数をさらに限定し、ＰＭＩ  Ｗ２が［１，−１］の範囲内の同相係数を有する場合にはシフト・ユニットはＢＣＩ  Ｗ１集合の同相係数を［１，−１］に限定し、ＰＭＩ  Ｗ２が［ｊ，−ｊ］の範囲内の同相係数を有する場合にはシフト・ユニットはＢＣＩ  Ｗ１集合の同相係数を［ｊ，−ｊ］に限定する。ＢＣＩ  Ｗ１集合から選択されたＢＣＩ  Ｗ２は、ＰＭＩ  Ｗ２に直交する。
【００３５】
上記の他のさらなる態様において、ワイヤレス通信システム内の基地局は、受信されたＰＭＩ  Ｗ２に基づいてＢＣＩ  Ｗ１集合をシフトするシフト・ユニットをさらに備える。シフト・ユニットは、ＰＭＩ  Ｗ２がＰＭＩ  Ｗ１集合の左側列上に配置されている場合にＢＣＩ  Ｗ１集合をその左側にシフトし、ＰＭＩ  Ｗ２がＰＭＩ  Ｗ１集合の右側列上に配置されている場合にＢＣＩ  Ｗ１集合をその右側にシフトする。シフト・ユニットは、ＢＣＩ  Ｗ１集合をベクトルの１つまたは２つの列の分だけシフトする。シフト・ユニットは、ＢＣＩ  Ｗ１集合の同相係数をさらに限定し、ＰＭＩ  Ｗ２が［１，−１］の範囲内の同相係数を有する場合にはシフト・ユニットはＢＣＩ  Ｗ１集合の同相係数を［１，−１］に限定し、ＰＭＩ  Ｗ２が［ｊ，−ｊ］の範囲内の同相係数を有する場合にはシフト・ユニットはＢＣＩ  Ｗ１集合の同相係数を［ｊ，−ｊ］に限定する。ＢＣＩ  Ｗ１集合から選択されたＢＣＩ  Ｗ２は、ＰＭＩ  Ｗ２に直交する。
【００３６】
本開示の方法、移動端末、およびワイヤレス通信システムを使用することにより、最適なＢＣＩ  Ｗ２がシフトされたＢＣＩ  Ｗ１集合に含まれる確率が高まり、ＢＣＩをフィードバックすることに関するオーバーヘッドが低減される。
【００３７】
前記は、概要であり、したがって、当然のことながら、簡素化、一般化、および詳細の省略を含み、そのため、当業者なら、概要は単に例示しているだけであり、いかなる形でも制限する意図はないことを理解するであろう。本明細書で説明されているデバイスおよび／またはプロセスおよび／または他の発明対象の他の態様、特徴、および利点は、本明細書で述べられている教示において明らかにされるであろう。この「発明の概要」は、以下の「発明を実施するための形態」でさらに説明される簡素化された形式の概念の選択を導入するために設けられている。この「発明の概要」は、請求されている主題の鍵となる特徴または本質的特徴を明示することを意図しておらず、また請求されている主題の範囲を確定する補助として使用されることも意図していない。
【００３８】
本開示の前記の特徴および他の特徴は、添付の図面と共に、以下の説明および添付の請求項からより完全に明らかになるであろう。これらの図面は本開示による複数の実施形態のみを示し、したがって本開示の範囲を制限するものであるとみなすべきでないことを理解してもらいそのうえで、添付の図面を用いてさらに具体的に、詳細に本開示を説明する。
【図面の簡単な説明】
【００３９】
【図１】ＵＥが基地局に、それ自体に使用される最も好ましいＰＭＩおよびおそらくは同時にスケジュールされるＵＥに使用される最も好ましいＰＣＩをフィードバックすることを示す概略図
【図２】８ＴｘアンテナのＰＭＩレポート機能に使用されるランク１を持つダブル・コードブック構造を示す図
【図３】ＤＦＴビームの方向性を示す概略図
【図４】本開示の一実施形態によりＢＣＩをレポートすることに関する移動端末のブロック図
【図５】本開示の一実施形態によりＢＣＩをレポートすることに関する移動端末の動作を示す概略図
【図６】本開示の別の実施形態によりダブル・コードブックに基づいてＢＣＩをレポートすることに関する移動端末の動作を示す概略図
【図７】本開示のさらなる実施形態によりＢＣＩをレポートすることに関する移動端末の動作を示す概略図
【図８】本開示の一実施形態によるダブル・コードブックのＢＣＩの計算例を示す図
【図９】本開示の一実施形態によるＢＣＩの計算においてＢＣＩ  Ｗ１集合をシフトする例を示す図
【図１０】本開示のさらなる実施形態によるＢＣＩの計算においてＢＣＩ  Ｗ１集合をシフトし、同相係数を考慮する例を示す図
【図１１】本開示の一実施形態によりワイヤレス通信システムにおいてＢＣＩをレポートする方法の流れ図
【図１２】本開示の別の実施形態によりワイヤレス通信システムにおいてＢＣＩをレポートする方法の流れ図
【図１３】本開示の一実施形態により移動端末からＢＣＩを受信することに関する基地局のブロック図
【発明を実施するための形態】
【００４０】
以下の詳細な説明では、詳細な説明の一部をなす、添付図面が参照される。図面中の類似の記号は、典型的には、文脈上別のものを示していない限り類似のコンポーネントを明示する。詳細な説明、図面、および請求項で説明されている例示的な実施形態は、制限することを意図していない。他の実施形態も利用することができ、また本明細書に提示されている発明対象の精神または範囲から逸脱することなく、他の変更を加えることができる。本明細書で一般的に説明され、また図に例示されているような本開示の態様は、さまざまな異なる構成による配置、置換、組み合わせ、設計が可能であり、すべて明示的に考察され、本開示の一部をなす。
【００４１】
本開示は、とりわけ、ＢＣＩをレポートするための方法、移動端末、基地局、およびワイヤレス通信システムを対象とする。
【００４２】
図４は、本開示の一実施形態によりＢＣＩをレポートすることに関する移動端末のブロック図である。
【００４３】
図４に示されているように、本開示の一実施形態による移動端末４００は、取得ユニット４０１、計算ユニット４０２、およびレポートユニット４０４を備えることができ、これらは互いに接続されている。
【００４４】
本開示の別の実施形態によれば、移動端末４００は、選択ユニット４０３および／またはシフト・ユニット４０５をさらに備えることができる。
【００４５】
本開示の一実施形態による移動端末４００は、関連するプログラムを実行してさまざまな種類のデータを処理し、移動端末４００に備えられているそれぞれのユニットの動作を制御するために使用される中央演算処理装置（ＣＰＵ）４１０、さまざまな演算および制御を実行するためにＣＰＵ４１０によって必要とされるさまざまなプログラムを格納するために使用される読出し専用メモリ（ＲＯＭ）４１３、演算および制御を実行するＣＰＵ４１０のプロシージャで生成されるさまざまなデータを格納するために使用されるランダム・アクセス・メモリ（ＲＡＭ）４１５、外部デバイスと接続し、外部デバイスと移動端末４００との間でさまざまなデータを送信するために使用される入出力ユニット（Ｉ／Ｏ）４１７などをさらに備えることができる。上記の取得ユニット４０１、計算ユニット４０２、選択ユニット４０３、レポートユニット４０４、シフト・ユニット４０５、ＣＰＵ４１０、ＲＯＭ４１３、ＲＡＭ４１５、およびＩ／Ｏユニット４１７は、データ／コマンド・バス４２０を介して互いに接続され、互いに信号を送信し合うことができる。
【００４６】
上記のユニットは、本開示の範囲を制限することはない。本開示の一実施形態によれば、取得ユニット４０１、計算ユニット４０２、選択ユニット４０３、レポートユニット４０４、シフト・ユニット４０５の機能は、ＣＰＵ４１０、ＲＯＭ４１３、ＲＡＭ４１５、およびＩ／Ｏユニット４１７と組み合わせてソフトウェアによって実現されうる。さらに、取得ユニット４０１、計算ユニット４０２、選択ユニット４０３、レポートユニット４０４、およびシフト・ユニット４０５は、１つのユニットに組み合わせることによって実現されうる。
【００４７】
本開示の一実施形態によれば、ワイヤレス通信システムにおいてＢＣＩを基地局にレポートするための移動端末４００の上記のユニットは、次のように動作する。取得ユニット４０１がダブル・コードブックに基づいてＰＭＩ  Ｗ１集合およびＰＭＩ  Ｗ２を取得し、計算ユニット４０２がＰＭＩ  Ｗ１集合に基づいて別の移動端末に使用されるＢＣＩ  Ｗ１集合を計算し、レポートユニット４０４がＢＣＩ  Ｗ１集合を基地局にレポートし、Ｗ１は、ＰＭＩおよびＢＣＩの長期または広帯域成分を示し、Ｗ２は、ＰＭＩおよびＢＣＩの短期または狭帯域成分を示す。ここで、他の移動端末も、ワイヤレス通信システム内の移動端末４００とおそらくは同時にスケジュールされる。
【００４８】
図５は、本開示の一実施形態によりＢＣＩをレポートすることに関する移動端末の動作を示す概略図である。
【００４９】
図５に示されているように、ＰＭＩ  Ｗ１集合が生成され、サブフレーム（アップリンク制御チャネル）で、またはレポート（アップリンク・データ・チャネル）でレポートされたときに、対応するＢＣＩ  Ｗ１集合が、生成されたＰＭＩ  Ｗ１集合に基づいて計算され、生成されたＢＣＩ  Ｗ１集合は、サブフレームとともに、または加えてレポートとともに、基地局にレポートされる。ＢＣＩ  Ｗ１集合は、比較的長い間隔で基地局にレポートされる。
【００５０】
図６は、本開示の別の実施形態によりダブル・コードブックに基づいてＢＣＩをレポートすることに関する移動端末の動作を示す概略図である。
【００５１】
本発明の実施形態によれば、ダブル・コードブックに基づいてＢＣＩをレポートするために移動端末４００はダブル・コードブック構造を再利用する。言い換えると、ＢＣＩレポート機能は、ダブル・コードブック構造にも基づいて、ＢＣＩ  Ｗ１集合は、ＰＭＩ  Ｗ１集合に基づいて計算され、ＢＣＩ  Ｗ２は、ＰＭＩ  Ｗ２に基づいてＢＣＩ  Ｗ１集合から選択される。
【００５２】
図６に示されているように、ＰＭＩ  Ｗ１集合が生成され、サブフレーム（アップリンク制御チャネル）で、またはレポート（アップリンク・データ・チャネル）でレポートされたときに、対応するＢＣＩ  Ｗ１集合が、生成されたＰＭＩ  Ｗ１集合に基づいて計算され、生成されたＢＣＩ  Ｗ１集合は、サブフレームとともに、または加えてレポートとともに、基地局にレポートされる。その後のサブフレームもしくはレポートにおいて、ＰＭＩ  Ｗ２が生成され、基地局にレポートされる。移動端末４００の選択ユニット４０３が、生成されたＰＭＩ  Ｗ２に基づいてＢＣＩ  Ｗ１集合から対応するＢＣＩ  Ｗ２を選択し、レポートユニット４０４は、生成されたＢＣＩ  Ｗ２を基地局にレポートする。本発明の実施形態によれば、レポートユニット４０４は、比較的長い間隔でＢＣＩ  Ｗ１集合を基地局にレポートし、比較的短い間隔でＢＣＩ  Ｗ２を基地局にレポートする。本発明の実施形態によれば、ＢＣＩ  Ｗ１集合は、比較的長い間隔で基地局にレポートされ、ＢＣＩ  Ｗ２は、比較的短い間隔で基地局にレポートされる。
【００５３】
図７は、本開示のさらなる実施形態によりＢＣＩをレポートすることに関する移動端末の動作を示す概略図である。
【００５４】
図７に示されているように、ＰＭＩ  Ｗ１集合が生成され、サブフレーム（アップリンク制御チャネル）で、またはレポート（アップリンク・データ・チャネル）でレポートされる。その後のサブフレームもしくはレポートにおいて、ＰＭＩ  Ｗ２が生成され、基地局にレポートされる。対応するＢＣＩ  Ｗ１集合が、生成されたＰＭＩ  Ｗ１集合に基づいて計算され、移動端末４００の選択ユニット４０３が、生成されたＰＭＩ  Ｗ２に基づいてＢＣＩ  Ｗ１集合から対応するＢＣＩ  Ｗ２を選択し、レポートユニット４０４が、生成されたＢＣＩ  Ｗ１集合およびＢＣＩ  Ｗ２の両方を基地局にレポートする。本発明の実施形態によれば、レポートユニット４０４は、比較的短い間隔でＢＣＩ  Ｗ１集合およびＢＣＩ  Ｗ２を共に基地局にレポートする。
【００５５】
以下では、ダブル・コードブックに基づくＢＣＩの計算プロセスのより詳細な分析を取りあげる。
【００５６】
図８は、本開示の一実施形態によるダブル・コードブックのＢＣＩの計算例を示している。
【００５７】
図８に示されているように、ダブル・コードブックは、ＤＦＴ成分と同相係数との結合であり、ＤＦＴ成分は、ベクトルの複数の列「ｖ０，ｖ１，ｖ２，ｖ３，．．．ｖ３１」で表され、同相係数は、［１，−１，ｊ，−ｊ］によって表される。その結果得られるプリコーディング・ベクトルは、レポートされたＤＦＴビームおよび同相係数がそれぞれｖ１および−１である場合に［ｖ１Ｔ  −ｖ１Ｔ］Ｔの形式に対応し、ただし式中、Ｔは、ベクトルの転置を表す。当業者なら、難なく上記の例をＤＦＴ成分と同相係数の結合に一般化することができるであろう。
【００５８】
ＰＭＩの計算プロセスと同様に、ダブル・コードブックのＢＣＩの計算は２段プロセスである。特に、第１段において、レポートされるＰＭＩ  Ｗ１が０であり、方向｛０，１，２，３｝にあり、同相係数は｛１，−１，ｊ，−ｊ｝であり、ＢＣＩ  Ｗ１集合が計算され、例えば、４となると仮定する。重要な観察結果は、ＢＣＩ  Ｗ１集合が、集合Ｗ１＝０内の複数の可能なＰＭＩ  Ｗ２の「平均」に基づいて計算されるということである。しかし、ＰＭＩ  Ｗ１集合に基づいて計算されるＢＣＩ  Ｗ１集合は、ＰＭＩのおおよその情報であり、したがってＢＣＩ  Ｗ１集合は最適でないことに留意されたい。
【００５９】
第２段では、短期／狭帯域ＢＣＩ（Ｗ２）が、ＰＭＩ  Ｗ２の知識に基づいてＢＣＩ  Ｗ１集合から選択される。基地局にレポートされるＢＣＩ  Ｗ２は、ＰＭＩ  Ｗ２に基づいてＢＣＩ  Ｗ１集合から選択される。すなわち、可能なＢＣＩ  Ｗ２は方向｛８，９，１０，１１｝にあり、同相係数は｛１，−１，ｊ，−ｊ｝である。言い換えると、レポートされたＢＣＩ  Ｗ２をＢＣＩ  Ｗ１集合の内で探索するということである。
【００６０】
例えば、図８において、ＰＭＩ  Ｗ２が、ＰＭＩ  Ｗ１集合（Ｗ１＝０）のプリコーディング・ベクトルの「平均」の左側にある、方向｛０｝および同相係数｛１｝に対応するものとする。ＢＣＩ  Ｗ１集合は、ＰＭＩ  Ｗ１集合のプリコーディング・ベクトルの「平均」に基づいて計算され、最適なＢＣＩ  Ｗ２は、ＰＭＩ  Ｗ２に基づいて計算されうるので、おそらくは最適なＢＣＩ  Ｗ２は、ＢＣＩ  Ｗ１集合内にないことがある。したがって、ＢＣＩ  Ｗ１集合から選択され、基地局にレポートされるＢＣＩ  Ｗ２は、ときには、最適なＢＣＩ  Ｗ２でなく、性能の低下を引き起こす。
【００６１】
図９は、本開示の一実施形態によるＢＣＩの計算においてＢＣＩ  Ｗ１集合をシフトする例を示している。
【００６２】
おそらくは最適なＢＣＩ  Ｗ２がＢＣＩ  Ｗ１集合内にないという上記の問題を解決するために、本開示では、ＰＭＩ  Ｗ２に基づいてＢＣＩ  Ｗ１集合をシフトすることを提案する。したがって、本開示の一実施形態によれば、移動端末４００は、ＰＭＩ  Ｗ２に基づいてＢＣＩ  Ｗ１集合をシフトするシフト・ユニット４０５をさらに備える。例えば、ＰＭＩ  Ｗ２がＰＭＩ  Ｗ１集合のベクトルの左側列上にある場合に、シフト・ユニット４０５は、ＢＣＩ  Ｗ１集合をその左側にシフトする。同様に、ＰＭＩ  Ｗ２がＰＭＩ  Ｗ１集合のベクトルの右側列上にある場合に、シフト・ユニット４０５は、ＢＣＩ  Ｗ１集合をその右側にシフトする。図９に示されているように、シフト操作の後に、Ｗ１＝３として示されているＢＣＩ  Ｗ１集合は、現在のＢＣＩ  Ｗ１集合がＷ１＝４に対応しているけれども、Ｗ１＝４として示されているシフトされたＢＣＩ  Ｗ１集合として使用されうる。
【００６３】
図９に示されているように、ＰＭＩ  Ｗ１集合がＷ１＝０であり、ＢＣＩ  Ｗ１集合が計算されてＷ１＝４であるものとし、さらに、実際のＰＭＩ  Ｗ２が、Ｗ１＝０として示されているＰＭＩ  Ｗ１集合の左上側に配置されている、方向｛０｝および同相係数｛１｝に対応するものとすると、最適なＢＣＩ  Ｗ２が実際のＰＭＩ  Ｗ２に基づいて計算され、方向｛７｝および同相係数｛−１｝に対応することになる。この関係において、計算された最適なＢＣＩ  Ｗ２は、Ｗ１＝４として示されている計算されたＢＣＩ  Ｗ１集合内に配置されず、したがって、Ｗ１＝４として示されているＢＣＩ  Ｗ１集合から選択され、基地局にレポートされるＢＣＩ  Ｗ２は、最適なＢＣＩ  Ｗ２とはならない。しかし、図９に示されているような実施形態によれば、実際のＰＭＩ  Ｗ２は、Ｗ１＝０として示されている平均されたＰＭＩ  Ｗ１集合の左側に配置されているので、Ｗ１＝４として示されているＢＣＩ  Ｗ１集合は左側にシフトされ、Ｗ１＝３として示される、シフトされたＢＣＩ  Ｗ１集合が得られる。シフト操作の後、方向｛７｝および同相係数｛−１｝に対応する最適なＢＣＩ  Ｗ２は、Ｗ１＝３として示されているシフトされたＢＣＩ  Ｗ１集合内に配置され、したがって、最適なＢＣＩ  Ｗ２は、Ｗ１＝３として示されているシフトされたＢＣＩ  Ｗ１集合から選択され、基地局にレポートされうる。
【００６４】
本開示の一実施形態によれば、ＢＣＩ  Ｗ１集合は、ベクトルの１つまたは２つの列の分だけシフトされうる。例えば、図９と同様に、ＰＭＩ  Ｗ２が平均されたＰＭＩ  Ｗ１集合の左側にある場合、ちょうど１列だけを左側にシフトすることが可能である。この場合、シフトされたＢＣＩ  Ｗ１集合は、ＰＭＩ  Ｗ１集合に何ら対応しないが、２列シフトに比べて、実際のＰＭＩ  Ｗ２と平均されたＰＭＩ  Ｗ１集合との間のトレードオフの関係が改善される。
【００６５】
図１０は、本開示のさらなる実施形態によるＢＣＩの計算において同相係数を考慮することによってＢＣＩ  Ｗ１集合をシフトする例を示している。
【００６６】
本開示のさらなる実施形態によれば、実際のＰＭＩ  Ｗ２の値に従ってＢＣＩの同相係数をさらに限定することが可能である。例えば、シフト・ユニット４０５は、ＢＣＩ  Ｗ１集合の同相係数をさらに限定することができ、ＰＭＩ  Ｗ２が［１，−１］の範囲内の同相係数を有する場合にはシフト・ユニット４０５はＢＣＩ  Ｗ１集合の同相係数を［１，−１］に限定し、ＰＭＩ  Ｗ２が［ｊ，−ｊ］の範囲内の同相係数を有する場合にはシフト・ユニット４０５はＢＣＩ  Ｗ１集合の同相係数を［ｊ，−ｊ］に限定する。
【００６７】
特に図１０に示されているように、ＰＭＩ  Ｗ１集合がＷ１＝０であり、ＢＣＩ  Ｗ１集合が計算されてＷ１＝４であるものとし、さらに、実際のＰＭＩ  Ｗ２が、ＰＭＩ  Ｗ１集合（Ｗ１＝０）の左上側に配置されている、方向｛０｝および同相係数｛１｝に対応するものとする。実際のＰＭＩ  Ｗ２は、平均されたＰＭＩ  Ｗ１集合（Ｗ１＝０）の左側に配置されているので、ＢＣＩ  Ｗ１集合（Ｗ１＝４）は、その左側へ１列または２列分だけシフトされ、シフトされたＢＣＩ  Ｗ１集合が得られる。本発明の実施形態によれば、実際のＰＭＩ  Ｗ２は、ＰＭＩ  Ｗ１集合（Ｗ１＝０）の上側に配置されている。すなわち、実際のＰＭＩ  Ｗ２は［１，−１］の範囲内の同相係数を有するので、シフトされたＢＣＩ  Ｗ１集合は、同相係数を［１，−１］に限定することによってさらに強く制限される。同様に、実際のＰＭＩ  Ｗ２がＰＭＩ  Ｗ１集合（Ｗ１＝０）の下側に配置されている。すなわち、実際のＰＭＩ  Ｗ２が［ｊ，−ｊ］の範囲内の同相係数を有している場合には、シフトされたＢＣＩ  Ｗ１集合は、同相係数を［ｊ，−ｊ］に限定することによってさらに強く制限される。そのような場合、最適なＢＣＩ  Ｗ２をシフトされたＢＣＩ  Ｗ１集合に含める可能性が増大するだけでなく、ＢＣＩ  Ｗ２をフィードバックする際のオーバーヘッドも、例えば、４ビットから３ビットに低減される。
【００６８】
別の実施形態では、ＢＣＩ  Ｗ２は、ＢＣＩ  Ｗ２がＰＭＩ  Ｗ２に直交するようにＢＣＩ  Ｗ１集合から選択されうる。例えば、ＰＭＩ  Ｗ１集合がＷ１＝０と決定された場合、可能なＢＣＩ  Ｗ１集合は、Ｗ１＝４、または８、または１２として計算される。この場合、ＰＭＩ  Ｗ２が、ｖ０のベクトルおよび［１］の同相係数を有すると決定された場合、ＢＣＩ  Ｗ１集合は、その左側へ１列分シフトされる。このときに、ＢＣＩ  Ｗ２が、ＰＭＩ  Ｗ２に直交するように選択された場合、ＢＣＩ  Ｗ１集合をレポートする際のオーバーヘッドは、２ビットに低減され（元は４ビット）、ＢＣＩ  Ｗ２をレポートする際のオーバーヘッドは、３ビットに低減される（元は４ビット）。
【００６９】
本開示の一実施形態によれば、シフト・ユニットは、基地局側に設置されていなくてもよく、ＢＣＩ  Ｗ１集合をシフトし、同相係数を限定する方法のスキーマは、移動端末から基地局に明示的に知らされる。そのような方法で、移動端末のレポートユニットは、ＰＭＩ  Ｗ１、ＰＭＩ  Ｗ２、ＢＣＩ  Ｗ１集合、およびＢＣＩ  Ｗ２をレポートするだけでなく、ＢＣＩ  Ｗ１集合を元のＢＣＩ  Ｗ１集合からシフト／限定する方法もレポートする。さらに、移動端末のレポートユニットが、ＢＣＩ  Ｗ１集合を基地局にレポートするとともに、シフト／限定の情報を示すシグナリングもレポートする場合、基地局と移動端末は共に、ＢＣＩ  Ｗ１集合をシフトし、同相係数を限定する方法を知ることになり、したがって、同じスキーマでシフトされたＢＣＩ  Ｗ１集合からＢＣＩ  Ｗ２を選択することができる。しかし、本開示の別の実施形態によれば、シフト・ユニットは、基地局に設置されてもよい。そのような方法では、ＢＣＩ  Ｗ１集合をシフト／限定する方法を示す、移動端末から基地局への明示的なシグナリングはない。さらに、移動端末がＢＣＩ  Ｗ１集合を基地局にレポートする場合、基地局のシフト・ユニットは、ＰＭＩ  Ｗ２の知識に基づいてシフト／限定されたＢＣＩ  Ｗ１集合を導出する。この場合（シフト・ユニットが基地局に設置されている）、一般に、移動端末および基地局内のシフト・ユニットは、同じシフト／限定規則を保持すべきである（すなわち、同じＰＭＩ  Ｗ２の値である結果として、基地局と移動端末の両方のシフト・ユニットにおいて同じシフト／限定になるべきである）。両方の場合（基地局のシフト・ユニットが設置されているか、または設置されていない）、レポートされたＢＣＩ  Ｗ２がシフト／限定されたＢＣＩ  Ｗ１集合から選択され、元のＢＣＩ  Ｗ１集合からは選択されないというのが移動端末と基地局との間の共通の理解となる。
【００７０】
図１１は、本開示の一実施形態によりワイヤレス通信システムにおいてＢＣＩをレポートする方法の流れ図を示している。
【００７１】
図１１に示されているように、ステップＳ１１０１において、移動端末に使用されるＰＭＩ  Ｗ１集合およびＰＭＩ  Ｗ２を、ダブル・コードブックに基づいて取得する。ステップＳ１１０２において、別の移動端末に使用されるＢＣＩ  Ｗ１集合を、ＰＭＩ  Ｗ１集合に基づいて計算する。ステップＳ１１０３において、ＢＣＩ  Ｗ１集合を基地局にレポートする。ここで、Ｗ１は、ＰＭＩおよびＢＣＩの長期または広帯域成分を示し、Ｗ２は、ＰＭＩおよびＢＣＩの短期または狭帯域成分を示す。ＢＣＩ  Ｗ１集合は、比較的長い間隔で基地局にレポートされうる。
【００７２】
本開示の一実施形態によれば、上記のステップＳ１１０１は、取得ユニット４０１によって実行され、上記のステップＳ１１０２は、計算ユニット４０２によって実行され、上記のステップＳ１１０３は、レポートユニット４０４によって実行されうる。
【００７３】
本開示の別の実施形態によれば、ＢＣＩをレポートする方法は、ＰＭＩ  Ｗ２に基づいてＢＣＩ  Ｗ１集合からＢＣＩ  Ｗ２を選択するステップと、ＢＣＩ  Ｗ２を基地局にレポートするステップとをさらに含む。上記のステップは、それぞれ、選択ユニット４０３とレポートユニット４０５とによって実行されうる。ＢＣＩ  Ｗ１集合は、比較的長い間隔でレポートされ、ＢＣＩ  Ｗ２は、比較的短い間隔でレポートされうる。あるいは、ＢＣＩ  Ｗ１集合およびＢＣＩ  Ｗ２は共に、比較的短い間隔でレポートされる。
【００７４】
図１２は、本開示の別の実施形態によりワイヤレス通信システムにおいてＢＣＩをレポートする方法の流れ図を示している。
【００７５】
図１２に示されているように、ステップＳ１２０１において、移動端末に使用されるＰＭＩ  Ｗ１集合およびＰＭＩ  Ｗ２を、ダブル・コードブックに基づいて取得する。ステップＳ１２０２において、別の移動端末に使用されるＢＣＩ  Ｗ１集合を、ＰＭＩ  Ｗ１集合に基づいて計算する。ステップＳ１２０３において、ＢＣＩ  Ｗ２は、ＰＭＩ  Ｗ２に基づいてＢＣＩ  Ｗ１集合から選択される。ステップＳ１２０４において、ＢＣＩ  Ｗ１集合およびＢＣＩ  Ｗ２を基地局にレポートする。ここで、Ｗ１は、ＰＭＩおよびＢＣＩの長期または広帯域成分を示し、Ｗ２は、ＰＭＩおよびＢＣＩの短期または狭帯域成分を示す。
【００７６】
本開示の一実施形態によれば、上記のステップＳ１２０１は、取得ユニット４０１によって実行され、上記のステップＳ１２０２は、計算ユニット４０２によって実行され、上記のステップＳ１２０３は、選択ユニット４０３によって実行され、上記のステップＳ１２０４は、レポートユニット４０４によって実行されうる。
【００７７】
本開示の別の実施形態によれば、ＢＣＩをレポートする方法は、ＰＭＩ  Ｗ２に基づいてＢＣＩ  Ｗ１集合をシフトするステップをさらに含む。上記のステップは、シフト・ユニット４０５によって実行されうる。
【００７８】
本開示の別の実施形態によれば、ＢＣＩをレポートする方法は、長い時間間隔でＢＣＩ  Ｗ１集合をレポートするステップと、短い時間間隔でＢＣＩ  Ｗ２をレポートするステップとをさらに含む。上記のステップは、レポートユニット４０４によって実行されうる。
【００７９】
本開示の別の実施形態によれば、ダブル・コードブックは、ＤＦＴ成分と同相係数との結合であり、ＤＦＴ成分は、ベクトルの複数の列で表され、同相係数は、［１，−１，ｊ，−ｊ］によって表される。
【００８０】
本開示の別の実施形態によれば、ＢＣＩをレポートする方法は、ＰＭＩ  Ｗ２がＰＭＩ  Ｗ１集合の左側列上に配置されている場合にＢＣＩ  Ｗ１集合をその左側にシフトするステップと、ＰＭＩ  Ｗ２がＰＭＩ  Ｗ１集合の右側列上に配置されている場合にＢＣＩ  Ｗ１集合をその右側にシフトするステップとをさらに含む。上記のステップは、シフト・ユニット４０５によって実行されうる。
【００８１】
本開示の別の実施形態によれば、ＢＣＩをレポートする方法は、ＢＣＩ  Ｗ１集合をベクトルの１つまたは２つの列の分だけシフトするステップをさらに含む。上記のステップは、シフト・ユニット４０５によって実行されうる。
【００８２】
本開示の別の実施形態によれば、ＢＣＩをレポートする方法は、ＢＣＩ  Ｗ１集合の同相係数を限定するステップをさらに含み、ＰＭＩ  Ｗ２が［１，−１］の範囲内の同相係数を有する場合にはＢＣＩ  Ｗ１集合の同相係数は［１，−１］に限定され、ＰＭＩ  Ｗ２が［ｊ，−ｊ］の範囲内の同相係数を有する場合にはＢＣＩ  Ｗ１集合の同相係数は［ｊ，−ｊ］に限定される。上記のステップは、シフト・ユニット４０５によって実行されうる。
【００８３】
本開示の別の実施形態によれば、ＢＣＩ  Ｗ２は、シフトされたＢＣＩ  Ｗ１集合から選択され、ＢＣＩ  Ｗ２は、ＰＭＩ  Ｗ２に直交するように制約されている。
【００８４】
図１３は、本開示の一実施形態により移動端末からＢＣＩを受信することに関する基地局のブロック図を示している。
【００８５】
図１３に示されているように、本開示の一実施形態による基地局１３００は、受信ユニット１３０１およびプリコーディング・ユニット１３０２を備えることができ、これらは互いに接続されている。
【００８６】
本開示の別の実施形態によれば、基地局１３００は、選択ユニット１３０６および／またはシフト・ユニット１３０７をさらに備えることができる。
【００８７】
本開示の一実施形態による基地局１３００は、関連するプログラムを実行してさまざまな種類のデータを処理し、基地局１３００に備えられているそれぞれのユニットの動作を制御するために使用される中央演算処理装置（ＣＰＵ）１３１０、さまざまな演算および制御を実行するためにＣＰＵ１３１０によって必要とされるさまざまなプログラムを格納するために使用される読出し専用メモリ（ＲＯＭ）１３１３、演算および制御を実行するＣＰＵ１３１０のプロシージャで生成されるさまざまなデータを格納するために使用されるランダム・アクセス・メモリ（ＲＡＭ）１３１５、外部デバイスと接続し、外部デバイスと基地局１３００との間でさまざまなデータを送信するために使用される入出力ユニット（Ｉ／Ｏ）１３１７などをさらに備えることができる。上記の受信ユニット１３０１、プリコーディング・ユニット１３０２、選択ユニット１３０６、シフト・ユニット１３０７、ＣＰＵ１３１０、ＲＯＭ１３１３、ＲＡＭ１３１５、およびＩ／Ｏユニット１３１７は、データ／コマンド・バス１３２０を介して互いに接続され、互いに信号を送信し合うことができる。
【００８８】
上記のユニットは、本開示の範囲を制限することはない。本開示の一実施形態によれば、受信ユニット１３０１、プリコーディング・ユニット１３０２、選択ユニット１３０６、およびシフト・ユニット１３０７の機能は、ＣＰＵ１３１０、ＲＯＭ１３１３、ＲＡＭ１３１５、およびＩ／Ｏユニット１３１７と組み合わせてソフトウェアによって実現されうる。さらに、受信ユニット１３０１、プリコーディング・ユニット１３０２、選択ユニット１３０６、およびシフト・ユニット１３０７は、１つのユニットに組み合わせることで実現されうる。
【００８９】
本開示の一実施形態によれば、ワイヤレス通信システムにおいて移動局からＢＣＩを受信するための基地局１３００の上記のユニットは、次のように動作する。受信ユニット１３０１は、ダブル・コードブックに基づいて生成される、ＰＭＩ  Ｗ１集合、ＰＭＩ  Ｗ２、およびＢＣＩ  Ｗ１集合を移動端末から受信し、プリコーディング・ユニット１３０２は、ＢＣＩ  Ｗ１集合とともに別の移動端末に送信されるデータをプリコードし、Ｗ１は、ＰＭＩおよびＢＣＩの長期または広帯域成分を示し、Ｗ２は、ＰＭＩおよびＢＣＩの短期または狭帯域成分を示す。ここで、他の移動端末も、ワイヤレス通信システム内の移動端末とおそらくは同時にスケジュールされる。
【００９０】
本開示の一実施形態によれば、受信ユニット１３０１は、移動端末からＢＣＩ  Ｗ２をさらに受信し、ＢＣＩ  Ｗ１集合は、ＰＭＩ  Ｗ２に基づいて移動端末によってシフトされ、ＢＣＩ  Ｗ２は、ＰＭＩ  Ｗ２に基づいてシフトされたＢＣＩ  Ｗ１集合から移動端末によって選択される。本開示の一実施形態によれば、ＢＣＩ  Ｗ１集合は、比較的長い間隔で受信される。本開示の一実施形態によれば、ＢＣＩ  Ｗ１集合は、比較的長い間隔で受信され、ＢＣＩ  Ｗ２は、比較的短い間隔で受信される。本開示の一実施形態によれば、ＢＣＩ  Ｗ１集合およびＢＣＩ  Ｗ２は共に、比較的短い間隔で受信される。
【００９１】
本開示の一実施形態によれば、選択ユニット１３０６は、ＰＭＩ  Ｗ２に基づいてＢＣＩ  Ｗ１集合からＢＣＩ  Ｗ２を選択する。ここで、ＢＣＩ  Ｗ２は、ＰＭＩ  Ｗ２に直交するのが好ましい。
【００９２】
本開示の一実施形態によれば、シフト・ユニット１３０７は、ＰＭＩ  Ｗ２に基づいてＢＣＩ  Ｗ１集合をシフトする。本開示では、ダブル・コードブックは、ＤＦＴ成分と同相係数との結合であり、ＤＦＴ成分は、ベクトルの複数の列で表され、同相係数は、［１，−１，ｊ，−ｊ］によって表される。本開示の一実施形態によれば、シフト・ユニット１３０７は、ＰＭＩ  Ｗ２がＰＭＩ  Ｗ１集合の左側列上に配置されている場合にＢＣＩ  Ｗ１集合をその左側にシフトし、ＰＭＩ  Ｗ２がＰＭＩ  Ｗ１集合の右側列上に配置されている場合にＢＣＩ  Ｗ１集合をその右側にシフトする。さらに、シフト・ユニット１３０７は、ＢＣＩ  Ｗ１集合をベクトルの１つまたは２つの列の分だけシフトすることができる。本開示の一実施形態によれば、シフト・ユニット１３０７は、ＢＣＩ  Ｗ１集合の同相係数をさらに限定し、ＰＭＩ  Ｗ２が［１，−１］の範囲内の同相係数を有する場合にはシフト・ユニットはＢＣＩ  Ｗ１集合の同相係数を［１，−１］に限定し、ＰＭＩ  Ｗ２が［ｊ，−ｊ］の範囲内の同相係数を有する場合にはシフト・ユニットはＢＣＩ  Ｗ１集合の同相係数を［ｊ，−ｊ］に限定する。
【００９３】
本開示の一実施形態によれば、シフト・ユニット１３０７は、基地局に設置され、シフト・ユニット４０５は、予めＢＣＩ  Ｗ１集合をシフトし、同相係数を限定する方法の同じスキーマで構成することができる。このような方法で、移動端末がＢＣＩ  Ｗ１集合を基地局にレポートする場合、基地局と移動端末は共に、ＢＣＩ  Ｗ１集合をシフトし、同相係数を限定する方法を知ることになり、したがって、基地局と移動端末との間で一貫して、同じスキーマでシフトされたＢＣＩ  Ｗ１集合からＢＣＩ  Ｗ２を選択することができる。しかし、本開示の別の実施形態によれば、シフト・ユニット１３０７は、基地局に設置されなくてもよい。このような方法で、移動端末がＢＣＩ  Ｗ１集合を基地局にレポートする場合、さらに、移動端末は、元のＢＣＩ  Ｗ１集合と比較してＢＣＩ  Ｗ１集合がシフトされる方法を基地局にレポートする。この場合、基地局の受信ユニットは、ＰＭＩ  Ｗ１、ＰＭＩ  Ｗ２、ＢＣＩ  Ｗ１、ＢＣＩ  Ｗ２を受信するだけでなく、シフト／限定スキーマに関する追加シグナリングを受信する。両方の場合（シフト・ユニットが設置されているか、または設置されていない）、レポートされたＢＣＩ  Ｗ２がシフト／限定されたＢＣＩ  Ｗ１集合から選択され、元のＢＣＩ  Ｗ１集合からは選択されないというのが移動端末と基地局との間の共通の理解となる。こうして、基地局は、優先するＢＣＩ  Ｗ２を取得するシグナリングを受信することができ、潜在的に、同時にスケジュールされた移動端末のデータを優先するＢＣＩ  Ｗ２でプリコードすることができる。
【００９４】
本開示の一実施形態によれば、図１において、ワイヤレス通信システム１００に含まれる移動端末１０１は、本開示による移動端末４００として実現することができ、移動端末４００は、ダブル・コードブックに基づいてＰＭＩ  Ｗ１集合およびＰＭＩ  Ｗ２を取得する取得ユニット４０１と、ＰＭＩ  Ｗ１集合に基づいて別の移動端末に使用されるＢＣＩ  Ｗ１集合を計算する計算ユニット４０２と、ＰＭＩ  Ｗ２に基づいてＢＣＩ  Ｗ１集合からＢＣＩ  Ｗ２を選択する選択ユニット４０３と、ＢＣＩ  Ｗ１集合およびＢＣＩ  Ｗ２を基地局にレポートするレポートユニット４０４とを備える。ここで、Ｗ１は、ＰＭＩおよびＢＣＩの長期または広帯域成分を示し、Ｗ２は、ＰＭＩおよびＢＣＩの短期または狭帯域成分を示す。他の移動端末も、ワイヤレス通信システム内の移動端末とおそらくは同時にスケジュールされる。
【００９５】
さらに、ワイヤレス通信システム１００に含まれる移動端末４００は、ＰＭＩ  Ｗ２に基づいてＢＣＩ  Ｗ１集合をシフトするシフト・ユニット４０５をさらに備えることができる。特に、レポートユニット４０４は、ＢＣＩ  Ｗ１集合を、長い時間間隔でレポートし、ＢＣＩ  Ｗ２を、短い時間間隔でレポートする。ダブル・コードブックは、ＤＦＴ成分と同相係数との結合であり、ＤＦＴ成分は、ベクトルの複数の列で表され、同相係数は、［１，−１，ｊ，−ｊ］によって表される。シフト・ユニット４０５は、ＰＭＩ  Ｗ２がＰＭＩ  Ｗ１集合の左側列上に配置されている場合にＢＣＩ  Ｗ１集合をその左側にシフトし、ＰＭＩ  Ｗ２がＰＭＩ  Ｗ１集合の右側列上に配置されている場合にＢＣＩ  Ｗ１集合をその右側にシフトする。シフト・ユニット４０５は、ＢＣＩ  Ｗ１集合をベクトルの１つまたは２つの列の分だけシフトすることができる。シフト・ユニット４０５は、ＢＣＩ  Ｗ１集合の同相係数をさらに限定し、ＰＭＩ  Ｗ２が［１，−１］の範囲内の同相係数を有する場合にはシフト・ユニットはＢＣＩ  Ｗ１集合の同相係数を［１，−１］に限定し、ＰＭＩ  Ｗ２が［ｊ，−ｊ］の範囲内の同相係数を有する場合にはシフト・ユニット４０５はＢＣＩ  Ｗ１集合の同相係数を［ｊ，−ｊ］に限定する。ＢＣＩ  Ｗ１集合から選択されたＢＣＩ  Ｗ２は、ＰＭＩ  Ｗ２に直交する。
【００９６】
前記の詳細な説明では、ブロック図、流れ図、および／または実施例を使用することで、デバイスおよび／またはプロセスのさまざまな実施形態を記述した。このようなブロック図、流れ図、および／または実施例が、１つまたは複数の機能および／または演算を含んでいる限り、当業者なら、そのようなブロック図、流れ図、または実施例内のそれぞれの機能および／または演算は、各種のハードウェア、ソフトウェア、ファームウェア、またはこれらの実質的に任意の組み合わせによって、個別におよび／またはまとめて実装することができることを理解するであろう。一実施形態では、本明細書で説明されている発明対象のいくつかの部分は、特定用途向け集積回路（ＡＳＩＣ）、フィールド・プログラマブル・ゲートアレイ（ＦＰＧＡ）、デジタル信号プロセッサ（ＤＳＰ）、または他の集積回路形態を介して実装されうる。しかし、当業者なら、本明細書で開示されている実施形態のいくつかの態様は、全部または一部、１つまたは複数のコンピュータ上で実行される１つまたは複数のコンピュータプログラムとして（例えば、１つまたは複数のコンピュータシステム上で実行される１つまたは複数のプログラムとして）、１つまたは複数のプロセッサ上で実行される１つまたは複数のプログラムとして（例えば、１つまたは複数のマイクロプロセッサ上で実行される１つまたは複数のプログラムとして）、ファームウェアとして、またはこれらの実質的に任意の組み合わせとして、集積回路内に等価な構成で実装されうること、またソフトウェアおよび／またはファームウェア用に回路を設計し、および／またはコードを書くことは、本開示に照らして十分に当業者の技能の範囲内にあることを理解するであろう。さらに、当業者なら、本明細書で説明されている発明対象のメカニズムは、さまざまな形態のプログラム製品として配布することができること、また本明細書で説明されている発明対象の例示的な一実施形態は、配布を実際に実行するために使用される特定の種類の信号伝送媒体に関係なく適用されることを理解するであろう。信号伝送媒体の例としては、限定はしないが、フロッピー（登録商標）・ディスク、ハードディスク・ドライブ、コンパクト・ディスク（ＣＤ）、デジタル・ビデオ・ディスク（ＤＶＤ）、デジタル・テープ、コンピュータ・メモリなど、およびデジタルおよび／またはアナログ通信媒体などの送信型媒体（例えば、光ファイバ・ケーブル、導波管、有線通信リンク、ワイヤレス通信リンクなど）が挙げられる。
【００９７】
本明細書における実質的に複数形および／または単数形の語の使用に関して、当業者なら、背景状況および／または用途に応じて適切に、複数形を単数形に、および／または単数形を複数形に変えることができる。さまざまな単数形／複数形の置き換えは、本明細書ではわかりやすくするために明示的に述べる場合がある。
【００９８】
当業者なら、一般に、本明細書で使用されている、また特に添付の請求項（例えば、添付の請求項の本文）で使用されている言い回しは、「制約のない」言い回し（例えば、「含むこと」という言い回しは、「限定はしないが、含むこと」と解釈すべきであり、「有する」という言い回しは、「少なくとも有する」と解釈すべきであり、「含む」という言い回しは、「限定はしないが、含む」と解釈すべきである、など）として一般的に意図されていることを理解されるであろう。さらに、当業者なら、導入される請求項列挙の特定の数が意図されている場合、そのような意図は、請求項内で明示的に記載され、そのような列挙がない場合は、そのような意図は存在しないことを理解するであろう。例えば、理解の助けとして、添付の請求項に、導入句「少なくとも１つの」および「１つまたは複数の」を入れて請求項列挙を導入することができる。しかし、英語原文において、このような語句を使用したとしても、不定冠詞「ａ」または「ａｎ」による請求項列挙の導入によって、たとえその請求項が導入句「１つまたは複数の」または「少なくとも１つの」、および「ａ」または「ａｎ」などの不定冠詞を含むとしても、そのような導入される請求項列挙を含む特定の請求項がそのような列挙を１つしか含まない開示に制限されることを意味すると解釈すべきではなく（例えば、「ａ」および／または「ａｎ」は、典型的には、「少なくとも１つの」または「１つまたは複数の」を意味すると解釈されるべきである）、請求項列挙を導入するために使用される定冠詞の使用についても同じことが成り立つ。さらに、特定の数の導入される請求項列挙が明示的に記載されるとしても、当業者なら、そのような列挙は、典型的には、少なくとも記載されている数を意味するものと解釈すべきであることを理解するであろう（例えば、ほかに修飾子を付けない「２つの列挙」という飾りのない列挙は、典型的には、少なくとも２つの列挙、または２つ以上の列挙を意味する）。「Ａ、Ｂ、またはＣなどのうちの少なくとも１つ」に類似の慣例的言い回しが使用される場合、一般的に、このような構文は、当業者がこの慣例的言い回しを理解するという意味で意図されたものである（例えば、「Ａ、Ｂ、またはＣのうちの少なくとも１つを有するシステム」は、限定はしないが、Ａだけ、Ｂだけ、Ｃだけ、ＡおよびＢを一緒に、ＡおよびＣを一緒に、ＢおよびＣを一緒に、および／またはＡ、Ｂ、およびＣを一緒に、などを有するシステムを含む）。さらに、当業者なら、明細書中であろうと、請求項中であろうと、図面中であろうと２つ以上の代替語を示す実質的に任意の離接語または語句は、複数の語のうちの１つ、複数の語のいずれか、または両方の語を含む可能性を考えるものと理解されるべきであることを理解するであろう。例えば、語句「ＡまたはＢ」は、「Ａ」または「Ｂ」または「ＡおよびＢ」の可能性を含むと理解される。
【００９９】
本明細書ではさまざまな態様および実施形態が開示されているが、他の態様および実施形態も当業者には明らかであろう。本明細書で開示されているさまざまな態様および実施形態は、例示することを目的としており、制限することを意図しておらず、真の範囲および精神は以下の請求項によって示される。
【図１】
2013543341.tif 000005
【図２】
2013543341.tif 000006
【図３】
2013543341.tif 000007
【図４】
2013543341.tif 000008
【図５】
2013543341.tif 000009
【図６】
2013543341.tif 000010
【図７】
2013543341.tif 000011
【図８】
2013543341.tif 000012
【図９】
2013543341.tif 000013
【図１０】
2013543341.tif 000014
【図１１】
2013543341.tif 000015
【図１２】
2013543341.tif 000016
【図１３】
2013543341.tif 000017
【国際調査報告】
2013543341.tif 000018
2013543341.tif 000019
2013543341.tif 000020
2013543341.tif 000021